(57)【特許請求の範囲】
【請求項１】
暖房装置をベースの片側に設置し、該ベースは前記暖房装置の後方に伸ばされて前記暖房装置との間に間隔を介して固定部材を立ち上げ、
前記暖房装置とは固定部材を介して一体化すると共に、その固定部材に取り付けたタンク装着手段によって着脱可能に設置する燃料タンクを設け、
前記暖房装置の熱源であるバーナは前記燃料タンクとの間に接続した燃料パイプを介して供給される燃料タンクの燃料を燃焼して暖房に使用しており、
前記燃料タンクは上部に開閉口を設け、前記燃料パイプの少なくとも一部はその燃料パイプの先端を前記開閉口から燃料タンク内に差し込むことができる可撓性の素材で構成し、この燃料パイプの暖房装置のバーナ側には吸い込みポンプと流路切換え操作弁とを設け、該流路切換え操作弁は前記吸い込みポンプから送られた燃料を前記バーナと排出管との間で流路切換えを行い、
前記流路切換え操作弁を排出管側にセットして吸い込みポンプを作動し、前記燃料タンクの上部の開閉口から燃料タンク内に差し込まれた燃料パイプによって燃料タンク内の燃料を吸引し、前記流路切換え操作弁から排出管へ燃料パイプ中の空気を排出し、流路切換え操作弁をバーナ側に切換えてバーナに燃料を供給することを特徴とする使用可能状態で保管できる暖房機装置。
【請求項２】
前記固定部材の暖房装置とは反対側には、暖房装置の排気手段を取り付け、
前記暖房装置の給気口に連なると共に先端部が固定部材の排気手段側に位置する給気路を設け、その給気路内に前記暖房装置と排気手段とを接続する排気管を配置し、
前記暖房装置とベースの固定部材との間隔に仮設設備の側壁を位置させ、前記暖房装置が仮設設備の室内側に、前記排気手段が仮設設備の室外側に位置すると共に、前記暖房装置と固定部材の間の排気管は給気路によって保護することを特徴とする請求項１記載の使用可能状態で保管できる暖房機装置。
【発明の詳細な説明】
【技術分野】
【０００１】
この発明は災害発生時などにおいて、倉庫から直ちに現場に持ち込んで仮設空間の暖房を可能とする暖房装置に関するものである。
【背景技術】
【０００２】
災害発生時などでは直ちにテント装置などによって仮設の住空間を作り出して、指揮系統を取り纏める場所や非難場所の確保が重要である。従来では人の住空間の確保が優先されて、仮設のテントなどを保管する市町村が増えてきているが、仮設の空間を住みやすい環境とするための空気調和、特に冬季における仮設空間の暖房についてはほとんど対応できておらず、市販の室内排気タイプの石油ストーブによる採暖が一般的になっている。しかし、最近の仮設の住空間を作り出すテント装置は仮設設備であっても隙間風が入らない高気密空間を作り出しており、住空間内の酸素を使って燃焼排気ガスを住空間に放出する従来の石油ストーブでは、出入口を開けて新鮮な空気の補給が不可欠であり、出入口付近は寒いから住空間として利用できる空間が少なくなっているのが現状である。
【０００３】
出願人は特許文献１に示すような仮設の設備に適するエアコン装置を提案し、仮設の店舗などでは一応の成果を得ることができた。そして、このエアコン装置の暖房機能を上記の仮設空間に使用すれば、最近の高気密の住空間を作り出すテント装置に利用できるが、この種のエアコン装置は潤沢に電力の供給が可能な場所での使用に限定されてしまうから、結局電力の不足が前提となる被災地などでの使用には全く適さないことがわかった。
【０００４】
【特許文献１】特開２００３−１３９３８３号公報
【発明の開示】
【発明が解決しようとする課題】
【０００５】
上記のような電力の供給がままならない災害時に使用できる暖房装置としては、灯油を燃焼する自然通気式の石油ストーブの利用が一般的となっているが、これに代る暖房装置として、室外排気形の暖房装置の利用が考えられる。しかし、この種の暖房装置では、室外へ排気するための設備や、使用する燃料を供給する装置が不可欠であり、災害時に使用するためにこの種の暖房装置と排気装置と燃料タンクなどが確保してあっても、この暖房装置を使用可能にするには施行業者が一台一台取り付けと設置状態の確認や、燃焼状態の確認を行わなければならなかった。
【０００６】
このため、専門の施行業者による暖房機の設置がすぐにはできない時において、例えば被災地用の暖房機として、施行業者が設置しなければならない暖房機はほとんど使用することができないのが実情であり、この暖房機の良さがある程度予想できて仮設設備などでの暖房機として利用したいという要求があっても、実際は排気システムと燃料供給のシステムを特別なものにして、誰でも使えるようにしなければ、この要求に答えることができなかった。
【課題を解決するための手段】
【０００７】
この発明は上記課題を解決するもので、暖房装置をベースの片側に設置し、該ベースは前記暖房装置の後方に伸ばされて前記暖房装置との間に間隔を介して固定部材を立ち上げ、前記暖房装置とは固定部材を介して一体化すると共に、その固定部材に取り付けたタンク装着手段によって着脱可能に設置する燃料タンクを設け、前記暖房装置の熱源であるバーナは前記燃料タンクとの間に接続した燃料パイプを介して供給される燃料タンクの燃料を燃焼して暖房に使用しており、前記燃料タンクは上部に開閉口を設け、前記燃料パイプの少なくとも一部はその燃料パイプの先端を前記開閉口から燃料タンク内に差し込むことができる可撓性の素材で構成し、この燃料パイプの暖房装置のバーナ側には吸い込みポンプと流路切換え操作弁とを設け、該流路切換え操作弁は前記吸い込みポンプから送られた燃料を前記バーナと排出管との間で流路切換えを行い、前記流路切換え操作弁を排出管側にセットして吸い込みポンプを作動し、前記燃料タンクの上部の開閉口から燃料タンク内に差し込まれた燃料パイプによって燃料タンク内の燃料を吸引し、前記流路切換え操作弁から排出管へ燃料パイプ中の空気を排出し、流路切換え操作弁をバーナ側に切換えてバーナに燃料を供給することを特徴とする。
【０００８】
また、使用可能状態で保管できる暖房機装置の排気システムに関して、前記固定部材の暖房装置とは反対側には、暖房装置の排気手段を取り付け、前記暖房装置の給気口に連なると共に先端部が固定部材の排気手段側に位置する給気路を設け、その給気路内に前記暖房装置と排気手段とを接続する排気管を配置し、前記暖房装置とベースの固定部材との間隔に仮設設備の側壁を位置させ、前記暖房装置が仮設設備の室内側に、前記排気手段が仮設設備の室外側に位置すると共に、前記暖房装置と固定部材の間の排気管は給気路によって保護することにより、仮設設備の暖房が可能となるものである。
【発明の効果】
【０００９】
この種の暖房機装置として、燃料供給のシステムが不可欠であり、従来では設置業者が燃料配管設備を設置し、燃料が確実に暖房機装置に供給されていることを確認しなければならなかった。この発明では燃料を貯蔵用のタンクとしてそのまま流用できる上部に開閉口を備えた燃料タンクを使い、燃料パイプはこの開閉口を使って燃料を使用するもので、暖房装置の使用に先立って流路切換え操作弁を流出側に切換えて吸い込みポンプを作動すると、吸い込みポンプは燃料タンクの上部の開閉口から吸い込んだ燃料を流路切換え操作弁の流出側に流すから、燃料パイプ中の空気は排出管を使って簡単に排出できるようになった。その後、流路切換え操作弁を暖房装置側に切換えすると、燃料はバーナに送られて暖房装置が使用できるようになり、この一連の操作は施行業者でなくて誰でもできるから、災害時のために使用可能状態で保管する暖房機装置がはじめて実用化できたものである。
【００１０】
また、この発明の暖房機装置は、設置時に取り付けられる付属設備として不可欠な排気システムに関して、あらかじめ一体に組み上げた使用可能状態で保管されており、このため、災害地ではこの保管しておいた暖房機装置を仮設設備の所定の場所に配置するだけで、仮設設備の暖房が可能になったものであり、施行業者がいなくともはじめて排気システムを必要とする暖房装置の使用が可能になったものである。
【発明を実施するための最良の形態】
【００１１】
以下、本発明の実施の形態について図面を参照して説明する。
図１は使用可能状態で保管できる暖房機装置の上面図、図３は暖房機装置の側面図であって、２は暖房機装置のベース、１はベース２の片側に設置した暖房装置、１５はこの暖房装置の熱源であるバーナ、１１は一端がバーナ１５に接続された燃料パイプ、７は燃料パイプ１１の他端が接続された燃料タンクであり、このベース２に設置した暖房装置１は燃料タンク７の石油燃料が燃料パイプ１１によってバーナ１５に送られる構成となっており、この石油燃料は図示せざる燃焼用送風機から送られる燃焼空気と混合してバーナ１５内で燃焼することができ、このバーナ１５で発生した熱量は温風となって暖房機装置の前面から吹出して暖房するものである。
【００１２】
５は暖房装置１の後部に伸ばしたベース２から立ち上げた固定部材、６は暖房装置１とは反対側に先端部が位置するように固定部材５に設置した排気手段、４は暖房装置１と固定部材５との間隔であり、前記ベース２の両端にそれぞれ暖房装置１と排気手段６とが設置した位置関係になっており、前記間隔４には図示せざる仮設設備の側壁３を位置させることができる。このため、仮設設備の室内側に暖房装置１が位置して、仮設設備の室外側に排気手段６が位置しており、仮設設備用の暖房機として機能することができる。
【００１３】
図２は使用可能状態で保管できる暖房機装置の側面図であって、１４は暖房装置１を設置したベース２に取り付けた固定部材５の暖房装置１とは反対側に位置させた排気管、２０は排気管１４を固定部材５に固定するための取付け部材、２１は排気管１４の先端に取り付けた拡散排気放出口であり、前記排気手段６は排気管１４と拡散排気放出口２１で構成している。実施例の排気手段６の高さは固定部材５よりも低い位置に設置され、暖房装置１の排気口から排気された燃焼ガスは排気管１４を経て拡散排気放出口２１から周囲に排気される。
【００１４】
図４は使用可能状態で保管できる暖房機装置の背面図であって、１２は暖房装置１の背面の排気口付近に形成した暖房装置１の給気口、１３は前記給気口１２がその内側に開口するように配置した給気路であり、この給気路１３の一方の端は前記固定部材５よりも暖房装置１の後方に位置すると共に、この給気路１３の中に前記排気管１４が位置している。このため排気管１４の前記間隔４内に位置する部分については、給気路１３によって保護されており、前記固定部材５と暖房装置１との間隔４に仮設設備の側壁３が位置しても、この側壁３は給気路１３に遮られて低温度に保つことができ、安全性が高まった。また、この間隔４に仮設設備の側壁３が位置したときには側壁３の外側の空気が給気路１３内を経て暖房装置１の給気口１２から燃焼に使用されるから、暖房装置は擬似的にＦＦ暖房機装置として機能するようになる。
【００１５】
実施例のベース２は長方形の四角形の枠体で構成しており、９は暖房装置１を設置した側のベース２の端と排気手段６を配置した側のベース２の端とにそれぞれ取り付けた支柱枠であり、この支柱枠９はベース２の四角形枠体部分から暖房装置１よりも高く立ち上げた縦枠９ａと、この縦枠９ａの上部を連結する横枠９ｂとで構成している。２２は支柱枠９と固定部材５との上部を連結する連結枠、１０は支柱枠９もしくは固定部材５もしくは連結枠２２の上部から上方に突出する棒体で構成したベース固定部材、１０ａはこのベース固定部材１０に嵌合するようにベース２に設けた嵌合部である。
【００１６】
このように、前記ベース２から立ち上げた支柱枠９の横枠９ｂの上に、他の暖房装置を設置したベース２を積み上げて載せることができるようになり、前記ベース固定部材１０を他のベース２の嵌合部１０ａに嵌め込むことによって、支柱枠９の横枠９ｂの上に積み上げた他のベース２が固定され、ずり落ちするようなことはない。このため、倉庫などで暖房機装置を保管するときには、この暖房機装置は複数個がベース２ごとに積み上げて保管できるようになり、狭いスペースで多くの暖房機装置を収納できたから、不意に発生する災害時のために多くの暖房機装置を確保することができるようになった。
【００１７】
前記固定部材５に取り付けた排気手段６はその高さが固定部材５よりも低くなっており、その排気手段６よりもベース２の端には前記支柱枠９が位置している。このため、使用状態において、排気手段６は固定部材５と支柱枠９で挟まれた空間、または、連結枠２２を備えたものでは固定部材５と支柱枠９と連結枠２２で挟まれた空間に位置するから、排気手段６の拡散排気放出口２１は固定部材５と支柱枠９もしくは固定部材５と支柱枠９と連結枠２２によってガードされており、使用状態で保管できるようにするために、低い位置に拡散排気放出口２１を位置させても、暖房機装置の運転中に人が誤って触れたりする恐れはなくなり安全に使用できるようになった。更に、拡散排気放出口２１の側方には後記する燃料タンク７の収容部が配置されるので、更に安全性が高まるものである。
【００１８】
図３は使用可能状態で保管できる暖房機装置の側面図であって、８はベース２から立ち上げた固定部材５に取り付けたタンク装着手段である。このタンク装着手段８は移動可能の燃料タンク７の一部を強制的に固定部材５に取り付けする構造のほかに、図３・図４に示すように上部が開放された有底筒状の外容器２３で構成し、この外容器２３を前記固定部材５に固定する構造でも良い。この構造であれば、燃料タンク７を持ち上げる操作で、簡単に外容器２３から燃料タンク７を取り外しや装着することができる。また、図４において、２４は燃料タンク７の遮熱板であり、この発明の燃料タンク７の装着位置は前記排気手段６と併設されているので、前記遮熱板２４を排気手段６とタンク装着手段８の間に配置することで燃料タンク７を低温度に維持することができる。このとき、タンク装着手段８の実施例として外容器２３を用いる時には、外容器２３の側壁に遮熱機能を持たせることができるので、遮熱板２４の数を少なくすることができる。
【００１９】
図３において、２５はバーナ１５に供給する燃料を貯めておく定油面器、２５ａは定油面器の燃料をバーナ１５に供給するための給油ポンプである。１７は燃料パイプ１１に取り付けられて前記燃料タンク７の燃料を定油面器２５に向けて送り出す吸い込みポンプ、１８は吸い込みポンプ１７の出口側に設けた流路切換え操作弁、１８ａは流路切換え操作弁１８の操作つまみ、１９は流路切換え操作弁１８の排出管であり、前記流路切換え操作弁１８は操作つまみ１８ａを操作して、吸い込みポンプ１７からの流路を、排出管１９側とバーナ１５へ向かう定油面器２５側との間で切換え操作している。
【００２０】
図５において、１６は燃料タンク７の開閉口、２６はこの開閉口１６に取り付ける開閉蓋、２７は燃料タンク７をタンク装着手段８によって暖房装置１にセットした時に使用する外部との間で空気流通手段を備えた接続蓋、２７ａは接続蓋２７から燃料タンク７の内部底面にのぞませた燃料パイプ１１の一部を構成する吸引パイプであり、前記燃料パイプ１１はこの接続蓋２７を介して先端の吸引パイプ２７ａに連通している。
【００２１】
前記燃料タンク７の開閉口１６は燃料タンク７に燃料を供給するための注入口と燃料を取り出す排出口とを兼ねており、燃料タンク７はこの開閉口１６を使って満量に給油して開閉蓋２６で開閉口１６を閉ざした状態で保管や移動ができる。この満量の燃料タンク７は前記タンク装着手段８によってこの暖房装置１に取り付けられ、その後、開閉口１６は開閉蓋２６を取り外して吸引パイプ２７ａと燃料パイプ１１を取り付けた接続蓋２７に付け換えられる。この時、前記燃料パイプ１１の少なくとも一部は可撓性の素材で構成しており、可撓性の素材の特性によって長い吸引パイプ２７ａを開閉口１６から差し込みながらこの開閉口１６を接続蓋２７によって封鎖することができる。
【００２２】
このように燃料タンク７が取り付けられた状態では、燃料パイプ１１中には空気が充満しており、このままでは暖房機装置を使用することができない。図３に示す実施例において、２８は吸い込みポンプ１７の操作スイッチであり、前記流路切換え操作弁１８の操作つまみ１８ａを操作して流路を排出管１９側に切換えて、操作スイッチ２８によって吸い込みポンプ１７を駆動すると、吸い込みポンプ１７は燃料パイプ１１中の空気を吸引しながら燃料タンク７内の燃料を吸引パイプ２７ａから吸い出し、燃料パイプ１１中の空気は排出管１９から排出される。
【００２３】
このとき、吸い込みポンプ１７の入口側にストレーナを取り付け、燃料タンク７から送られる燃料に混じったごみなどを取り除く構造にしても良く、このストレーナの外殻を透過性材料で構成すれば、ストレーナに送られる燃料が目視できるので、吸い込みポンプ１７の間際まで空気が抜けたことがわかる。
【００２４】
やがて、燃料パイプ１１中の空気が排出されて、前記流路切換え操作弁１８の排出管１９から燃料が漏れ出した時点で、操作つまみ１８ａを操作して流路切換え操作弁１８の吐出流路をバーナ１５側に切換えると、燃料は定油面器２５に送られるようになる。この排出管１９から流出する燃料で周囲を汚すことが問題になるときには、排出管１９に誘導パイプを取り付けて適当な場所へ燃料を誘導しても良く、また、排出管１９から流出する燃料を受け止める受け容器を配置して置くことも有効である。
【００２５】
前記流路切換え操作弁１８が切り換わって送られた燃料によってこの定油面器２５が所定の油面になると、定油面器２５は入口側を遮断して燃料の流入を止めるから、操作つまみ１８ａを操作後も短時間吸い込みポンプ１７を運転してから、操作スイッチ２８によって吸い込みポンプ１７を停止する。
【００２６】
図に示す実施例の吸い込みポンプ１７は閉止能力を備えていないから、燃料タンク７の高所に設けた開閉口１６をサイフォン効果によって乗り越えた燃料は、吸い込みポンプ１７・流路切換え操作弁１８を経て定油面器２５に送られる。このため、暖房装置１の運転操作を行うと、前記給油ポンプ２５ａが作動して定油面器２５内の燃料をバーナ１５に送り、また、図示せざる燃焼用送風機を作動して給気路１３から燃焼空気を取り入れてバーナ１５に送り、図示せざる点火手段の働きでバーナ１５の燃焼を開始することができる。そして、定油面器２５の燃料は随時燃料タンク７からサイフォン効果で補給されており、バーナ１５によって燃焼を継続することができる。
【００２７】
このバーナ１５で燃料が燃焼した時の熱量は暖房装置１から仮設設備の室内に送ることができ、仮設設備の室内の暖房が可能になる。また、バーナ１５から排出される燃焼ガスは給気路１３の中の排気管１４を経て外部に排気されており、排気管１４の端には拡散排気放出口２１が設けられ、好ましくはこの拡散排気放出口２１として、内部に排気吸引ファンを装備する構造であれば、背の低い排気管１４であっても良好に燃焼ガスを排気でき、バーナ１５の燃焼が安定する。
【００２８】
実施例では閉止能力のない吸い込みポンプ１７と定油面器２５との組み合わせを開示して本願発明を説明したが、バーナ１５の構造によっては定油面器２５を用いずに給油ポンプ２５ａに吸い込み機能を付加して、直接外部の燃料タンク７から燃料を吸引できる構成とした暖房装置１がある。この種の実施例のバーナ１５であれば、吸い込みポンプ１７に流量可変機能があるから、この吸い込みポンプ１７の後に設けた流路切換え操作弁１８の吐出側を直接バーナ１５に接続することができる。そして、流量可変機能を設けた吸い込みポンプ１７は、暖房装置１の操作によって駆動されると共に、この暖房装置１の操作とは独立して、操作スイッチ２８によっても駆動できるようにすれば、具体的な操作方法は図に示した実施例と全く同じ操作を行うことができ、特別に設置業者の手を煩わせることなく、使用者が暖房機装置の運転を開始できる状態にすることができた。
【００２９】
なお、本願発明の説明は、大発熱量燃焼が可能な排気筒設置タイプの暖房装置１を使って、この大発熱量燃焼にも耐えうる給気路１３やその中に配置する排気管１９の構成を説明したが、仮設の設備として暖房能力が小さくても実用になるときには、ベース２に設置する暖房装置１として、給気路と排気管を一体化した給排気装置を備えた小型の暖房装置１でも実施可能であることはもちろんである。
【００３０】
以上のように、本願発明の暖房機装置は、ひとつのベースの上に暖房装置や排気装置、給油装置が一体に組み上げられて、空の燃料タンクを組み込んで、または、燃料タンクは取り外した状態で積み上げて保管しておくことができ、狭いスペースでも沢山の暖房機装置が保管できるようになったものである。また、燃料タンクを取り外したときには、別途保管場所に燃料を満量にした状態で保管して、いつでも使用可能にしておくことができたものである。そして、災害時などで仮設設備に本願発明の暖房機装置を取り付ければ、設置業者の手を煩わせることなく、すぐに使用可能状態になるものである。また、具体的な使用において、タンク装着手段８に燃料を満たした燃料タンク７を設置し、簡単な操作で燃料パイプ１１の空気を追い出して誰でも使用可能な状態にできるから、災害発生時などでは非常に有効となる。
【図面の簡単な説明】
【００３１】
【図１】この発明の実施例を示す暖房機装置の平面図である。
【図２】図１の実施例の右側面図である。
【図３】図１の実施例の一部切り欠き左側面図である。
【図４】図１の実施例の背面図である。
【図５】使用する部品の断面図である。
【符号の説明】
【００３２】
１    暖房装置
２    ベース
３    仮設設備の側壁
４    間隔
５    固定部材
６    排気手段
７    燃料タンク
８    タンク装着手段
１１    燃料パイプ
１２    給気口
１３    給気路
１４    排気管
１５    バーナ
１６    開閉口
１７    吸い込みポンプ
１８    流路切換え操作弁
１９    排出管
【図１】
0004840465.tif 000002
【図２】
0004840465.tif 000003
【図３】
0004840465.tif 000004
【図４】
0004840465.tif 000005
【図５】
0004840465.tif 000006